(57)【要約】【課題】  ＬＢＰ記録手段とメイン制御部のインターフェースのステータスやエラー発生時の情報を記憶し、必要に応じて表示、記録紙への印字を可能にした通信装置を提供すること。【解決手段】  記録系エラーの場合は、VideoI/Fのステータスおよびエラー要因情報をエラーコードと共に印字する。又、ステータスおよびエラー要因情報を不揮発性メモリへ記憶しておく。【選択図】  図１
2006150889.tif 000002
【特許請求の範囲】
【請求項１】
受信した画像等を印字する手段としてLBP記録手段を持った通信装置において、
前記LBP記録手段と通信装置制御部とのインターフェースをコマンド・ステータスで制御するコマンド・ステータス制御手段とエラー終了時、エラーコードをメモリへ記憶する記憶手段と前記エラー終了時、ビデオインターフェースのステータスをメモリへ記憶する記憶手段と、
前記エラー終了時、エラー要因をメモリへ記憶する記憶手段と、
前記エラーコードを記録紙へ印字する手段と、
前記エラーコードが前記LBP記録手段にかかわるものかを判断する判断手段とを持ち、
前記エラーが前記LBP記録手段にかかわる場合、エラー発生時の前記ステータスを前記記憶手段に記憶するとともに、前記エラーコードと共に記録紙へ記録することを特徴とする通信装置。
【請求項２】
請求項１においてエラー情報を記録紙への印字は、ソフトウエアスイッチで選択できる構成とし、エラーコード、ステータス、要因情報を個々に出力可否の選択ができる構成としたことを特徴とする通信装置。
【請求項３】
請求項１においてエラエラーコードをメモリへ記憶する記憶手段とビデオインターフェースのステータスをメモリへ記憶する記憶手段とエラー要因をメモリへ記憶する記憶手段のメモリは、不揮発メモリを使用し、エラー事後、メモリの内容を印字できる構成としたことを特徴とする通信装置。
【請求項４】
請求項１においてエラー要因をメモリへ記憶する記憶手段のエラー要因とは、紙有無センサや紙位置検知センサなどのセンサ情報とヒーターの温度と各種タイマー値のエラー発生時の値を意味する。
【発明の詳細な説明】
【技術分野】
【０００１】
本発明は、画像等を印字する手段としてLBP記録手段を用いた通信装置においてエラー発生時のエラーコードやビデオインターフェースのステータスやエラー要因の表示に関するものである。
【背景技術】
【０００２】
従来より、受信した画像等を印字する手段としてLBP記録手段を用いた画像通信装置が提供されている。
【０００３】
前記画像通信装置のエラーには、通信エラーとシステムエラーがある。動作時なんらかの原因でエラーが発生した場合、エラーコードをＬＣＤへ表示する。もしくは、記録紙へ記録する方法がとられている。通信系エラーの場合は、エラーコードによって原因を特定できる構成としている。
【０００４】
一方、LBP記録手段と通信制御部とのインターフェースをコマンド・ステータスで制御するコマンド・ステータス制御している。ＬＢＰ記録手段のエラーのときは、ステータス情報をメイン制御側が読み込んで、エラーであるかの判断を行い、エラー表示やエラー音、或いは、エラー記録などでユーザへ報知している。
【０００５】
しかし、ＬＢＰ記録手段のエラーの場合は、エラーコードで原因を特定できないことがあった。例えば、ヒーターの過昇温のときは、エラーコードでエラーを知ることができるが、そのときの温度情報が必要となる。エラーの原因を速やかに特定するためにも、エラー時のステータスとそのときのエラー情報を得られないかとの要求がサービスマン等から寄せられていた。
【０００６】
また、ビデオインターフェースのステータスは、常に変化しているため、エラー事後に確認してもエラー時のステータスを確認することができない問題もあった。
【０００７】
又、別の従来例としては、特許文献１をあげることが出来る。
【特許文献１】特公平02-26872号公報
【発明の開示】
【発明が解決しようとする課題】
【０００８】
しかしながら、前記ＬＢＰ記録手段のエラー時のステータスは、保存していなかった。
【０００９】
そこで本発明では、前記ＬＢＰ記録手段とメイン制御部のインターフェースのステータスやエラー発生時の情報を記憶し、必要に応じて表示、記録紙への印字を可能にした通信装置を提供することを目的とする。
【課題を解決するための手段】
【００１０】
受信した画像等を印字する手段としてLBP記録手段を持った通信装置において、前記LBP記録手段と通信装置制御部とのインターフェースをコマンド・ステータスで制御するコマンド・ステータス制御手段とエラー終了時、エラーコードをメモリへ記憶する記憶手段と前記エラー終了時、ビデオインターフェースのステータスをメモリへ記憶する記憶手段と前記エラー終了時、エラー要因をメモリへ記憶する記憶手段と前記エラーコードを記録紙へ印字する手段と前記エラーコードが前記LBP記録手段にかかわるものかを判断する判断手段とを持ち前記エラーが前記LBP記録手段にかかわる場合、エラー発生時の前記ステータスを前記記憶手段に記憶するとともに、前記エラーコードと共に記録紙へ記録する。
【発明の効果】
【００１１】
以上説明したように、本発明によれば、エラー発生時に、記録系エラーの場合は、VideoI/Fのステータスおよびエラー要因情報をエラーコードと共に印字することにより、エラー原因の特定が容易にできるようになった。また、不揮発性メモリへ記憶しておくことでエラー事後でも、エラー時の情報を確認できるため、エラー解析が速やかに行えるようになった。
【発明を実施するための最良の形態】
【００１２】
図１は、本発明の一実施例による通信装置（ファクシミリ装置）の構成を示すブロック図である。
【００１３】
ＣＰＵ１は、ＲＯＭ２に記憶されているプログラムに従って通信装置全体をコントロールする。ＳＲＡＭ３とＤＲＡＭ４は電池でバックアップされており、停電時または電源２０が遮断された状態にあっても保存しておくべきデータを記憶しておくものである。前記ＳＲＡＭ３は、短縮ダイヤルやワンタッチダイヤルやソフトウェアスイッチを記憶するメモリである。また、前記ＤＲＡＭ４は主に画像データを記憶するメモリである。水晶発振２２は、ＣＰＵ１にシステムクロックを供給するものである。
【００１４】
ＰＭ６は、パワーマネージメント回路であり、システムリセット、ウォッチドックタイマＤＲＡＭ４およびＳＲＡＭ３のバックアップ制御、一次電池７および二次電池８の充放電回路等により構成されている。
【００１５】
システム制御部９は、システム制御ＩＣであり、汎用ポート、ＤＲＡＭコントローラ、バスマスタリアルタイムポート、ＳＬＡＶＥ−ＵＰＩのインターフェース、ＣＩ検出タイマ、パネルインターフェース、汎用タイマ、クロックジェネレータ、ＥＳＳ制御回路等により構成されている。尚、システム制御部９は２つの発振回路２５、２６によって生成されるタイミング信号によって動作する。
【００１６】
また、ＬＣＤコントローラ１４は、操作パネル１９の不示図のＬＣＤユニットを制御するＬＣＤ制御回路や汎用Ｉ／Ｏ等から構成されている。尚、ＬＣＤコントローラ１４は発振回路２４によって生成されるタイミング信号によって動作する。
【００１７】
また、一次電池７は、ＳＲＡＭ３のバックアップ時の電源に使用しており、二次電池８は、ＤＲＡＭ４のバックアップ時の電源に使用するもので、充電が可能である。ＲＴＣ( リアルタイムクロック)５は、通信に日時を表示するときに使い、一次電池７でバックアップされる構成である。
【００１８】
電源２０は、通信装置に直流電源を供給するもので、電源スイッチオンによりＡＣ電源 ２１を入力すると、複数の直流電圧が出力される構成となっている。そして、この電源２０はスタンバイ電源部とメイン電源部で構成されており、メイン電源部はリモート制御でＣＰＵ１によってリモート信号を制御することによって電圧出力のオン・オフ制御を行なっている。
【００１９】
メイン電源は記録部を駆動するための３．３Ｖ、モータやプランジャーを駆動するための２４Ｖ、通信系のアナログ回路を駆動するための１２Ｖ、電話機のフック検知用の２４Ｖで構成される。
【００２０】
スタンバイ電源は通信装置のシステム制御部を駆動するための５Ｖまたは３．３Ｖで構成される。
【００２１】
ＣＯＤＥＣ１０は、送信データの符号化、および受信データの符号化を行うものであり、読取部１１は、ファクシミリ送信時やコピー時に、撮像装置（ＣＳ）２７によって原稿画像の読取りを行うものである。
【００２２】
記録部１２は、ファクシミリ受信時やコピー時に画像の印字出力を行うものであり、モデム部１３は、送信データの変調や受信データの復調を行うものである。尚、モデム部１３は発振回路２３によって生成されるタイミング信号によって動作する。記録部１２とメイン制御側とのインターフェースをVideoI/F（ビデオインターフェース）と呼び、Video（画像）信号、コマンド・ステータスの通信を行うための、双方向のシリアルポート等から構成されている。
【００２３】
次に、図２は、本実施例のファクシミリ装置における制御動作を示すフローチャートである。
【００２４】
次に、図２のフローチャートに基づいて動作説明する。
【００２５】
まず、送信、受信、コピー動作（Ｓ１）時に、エラー発生したか（Ｓ２）、エラー発生したなら、VideoI/Fのステータスとエラー要因を不揮発性メモリへ記憶する。この記憶のタイミングは、エラー判定したときの情報を記憶するものとする。
【００２６】
エラー要因とは、例えば紙有無センサーや紙位置センサー等のセンサー状態やヒータ温度やタイマー値等である（S3）。
【００２７】
一方、エラーでない場合は、正常終了し、待機状態となる（S10）。
【００２８】
次に、エラー音の鳴動、エラーランプ点灯を行い、ユーザーへ報知する（S4）。次に記録系のエラーであるかの判定（S5）を行い、記録系エラーなら、記録系ステータスやエラー要因情報を印字するかの判定（S6）を行う。これは、あらかじめソフトウエアスイッチ等で設定しておくものとする。
【００２９】
ステータスを印字するなら、エラーコード、ステータス、要因を記録紙へ印字（S7）し、終了（S8）する。
【００３０】
記録系エラーでないと、ステータス要求ないから、（S9）へ進み、エラーコードの表示、又は、エラーコードを印字し、終了（S8）する。
【図面の簡単な説明】
【００３１】
【図１】本発明の一実施例を示すブロック図である。
【図２】上記実施例における動作を示すフローチャートである。
【符号の説明】
【００３２】
１  ＣＰＵ
２  ＲＯＭ
３  ＳＲＡＭ
４  ＤＲＡＭ
５  ＲＴＣ
６  ＰＭ
７  １次電池
８  ２次電池
９  システム制御部
１０  ＣＯＤＥＣ
１１  読取部
１２  記録部
１３  モデム部
１４  ＬＣＤＣ
１５  ＮＣＵ部
１６  回線
１７  本電話機
１８  子電話／留守番電話機
１９  操作パネル
２０  直流電源
３０  VideoI/F
【図１】
2006150889.tif 000003
【図２】
2006150889.tif 000004